(57)【要約】【課題】安定した充電姿勢を可能にし、充電台の小型化を図り得る電気掃除機を提供することを目的とする。【解決手段】電動送風機５及び蓄電池８を内蔵すると共に、両側面に車輪７ａ、７ｂを有する掃除機本体１と、蓄電池８を充電する充電台２５とを備え、掃除機本体１に蓄電池８に電気的に接続された本体端子部１２を配設すると共に、充電台２５は、充電台本体２７と、充電台本体２７の一側に延設され、掃除機本体１が載置される載置部２８とを有し、載置部２８には、掃除機本体１の載置部２８への載置状態で本体端子部１２に接続される充電端子部４５を配設すると共に、充電台本体２７と充電端子部４５との間に掃除機本体１の車輪７ａが貫通して接地する貫通孔２９を形成したものである。【選択図】図９
2015016063.tif 000002
【特許請求の範囲】
【請求項１】
電動送風機及び蓄電池を内蔵すると共に、両側面に車輪を有する掃除機本体と、前記蓄電池を充電する充電台とを備え、前記掃除機本体に前記蓄電池に電気的に接続された本体端子部を配設すると共に、前記充電台は、充電台本体と、充電台本体の一側に延設され、前記掃除機本体が載置される載置部とを有し、前記載置部には、前記掃除機本体の前記載置部への載置状態で前記本体端子部に接続される充電端子部を配設すると共に、前記充電台本体と前記充電端子部との間に前記掃除機本体の前記車輪が貫通して接地する貫通部を形成したことを特徴とする電気掃除機。
【請求項２】
充電台は、充電台本体と、前記充電台本体の位置側に延設した載置部を有し、前記載置部の前記充電台本体から離間した位置に充電端子を配設すると共に、前記充電台本体と前記充電端子との間に貫通部を形成し、前記充電台本体と前記充電端子とを連結する連結部の貫通部側側面に掃除機本体の車輪に沿うガイド部を形成したことを特徴とする請求項１に記載の電気掃除機。
【発明の詳細な説明】
【技術分野】
【０００１】
本発明は、電気掃除機に関するものであり、特に掃除機本体内に電動送風機駆動用の蓄電池を内蔵した充電式の電気掃除機に関するものである。
【背景技術】
【０００２】
従来、この種の電気掃除機は、掃除機本体と、充電台とを有し、充電台に形成した載置部上に掃除機本体を載置して掃除機本体の内蔵する蓄電池に充電するよう構成されている（例えば、特許文献１参照）。
【先行技術文献】
【特許文献】
【０００３】
【特許文献１】特開２００４−１１３６００号公報
【発明の概要】
【発明が解決しようとする課題】
【０００４】
しかしながら、従来の構成では、充電台の載置部上に掃除機本体を載置する構成であり、掃除機本体を安定に保持する必要があるため、充電台が大型化し、充電台の占有床面積が大きくなる問題がある。また、掃除機本体を充電台の上に載置するため、重心が高くなって安定性が悪い問題がある。
【０００５】
本発明は、前記従来の課題を解決するもので、安定した充電姿勢を可能にし、充電台の小型化を図り得る電気掃除機を提供することを目的とする。
【課題を解決するための手段】
【０００６】
前記従来の課題を解決するために、本発明の電気掃除機は、電動送風機及び蓄電池を内蔵すると共に、両側面に車輪を有する掃除機本体と、前記蓄電池を充電する充電台とを備え、前記掃除機本体に前記蓄電池に電気的に接続された本体端子部を配設すると共に、前記充電台は、充電台本体と、充電台本体の一側に延設され、前記掃除機本体が載置される載置部とを有し、前記載置部には、前記掃除機本体の前記載置部への載置状態で前記本体端子部に接続される充電端子部を配設すると共に、前記充電台本体と前記充電端子部との間に前記掃除機本体の前記車輪が貫通して接地する貫通部を形成したものである。
【０００７】
これによって、掃除機本体は車輪により接地した通常の使用状態と変わらない安定した姿勢のまま充電台と接続され充電を行うことができ、充電台を小型化することができる。
【発明の効果】
【０００８】
本発明の電気掃除機は、安定した状態で充電を行うことができ、充電台を小型化することができる等の効果を奏する。
【図面の簡単な説明】
【０００９】
【図１】本発明の実施の形態１における電気掃除機の斜視図
【図２】同掃除機本体の後方からの斜視図
【図３】同掃除機本体の断面図
【図４】同掃除機本体の蓄電池ケースの斜視図
【図５】同掃除機本体の分解斜視図
【図６】同充電台の斜視図
【図７】同充電台を示し、（ａ）は上面図、（ｂ）は側面図、（ｃ）は正面図
【図８】同充電台に掃除機本体を載置した状態を示す斜視図
【図９】同充電台に掃除機本体を載置した状態を底面側から見た斜視図
【図１０】同充電台に掃除機本体を載置する状態を説明する斜視図
【図１１】同充電台に蓄電池を装着した状態を示す斜視図
【図１２】同充電台を示し、（ａ）は上面図、（ｂ）は側面図
【図１３】実施の形態２における充電台を示し、（ａ）は上面図、（ｂ）は側面図
【図１４】実施の形態３における充電台を示し、（ａ）は上面図、（ｂ）は底面図、（ｃ）は側面図
【図１５】他の実施の形態における充電台を示し、（ａ）は上面図、（ｂ）は底面図、（ｃ）は側面図
【発明を実施するための形態】
【００１０】
第１の発明は、電動送風機及び蓄電池を内蔵すると共に、両側面に車輪を有する掃除機本体と、前記蓄電池を充電する充電台とを備え、前記掃除機本体に前記蓄電池に電気的に接続された本体端子部を配設すると共に、前記充電台は、充電台本体と、充電台本体の一側に延設され、前記掃除機本体が載置される載置部とを有し、前記載置部には、前記掃除機本体の前記載置部への載置状態で前記本体端子部に接続される充電端子部を配設すると共に、前記充電台本体と前記充電端子部との間に前記掃除機本体の前記車輪が貫通して接地する貫通部を形成したものである。
【００１１】
これにより、掃除機本体の車輪が接地した安定した姿勢で充電を行うことができるので、充電台を小型化することができ、充電台の設置面積を減少させることができる。
【００１２】
第２の発明は、充電台は、充電台本体と、前記充電台本体の位置側に延設した載置部を有し、前記載置部の前記充電台本体から離間した位置に充電端子を配設すると共に、前記充電台本体と前記充電端子との間に貫通部を形成し、前記充電台本体と前記充電端子とを連結する連結部の貫通部側側面に掃除機本体の車輪に沿うガイド部を形成したものである。
【００１３】
これにより、掃除機本体の充電台への位置合わせを容易にすることができる。
【００１４】
以下、本発明の実施の形態について、図面を参照しながら説明する。なお、この実施の形態によって本発明が限定されるものではない。
【００１５】
（実施の形態１）
本発明の実施の形態１について、図１〜図８を用いて説明する。
【００１６】
図１に示すように、本発明の電気掃除機１００は、吸引風を発生させる電動送風機５（図２及び図３参照）を内蔵する掃除機本体１と、被清掃面の塵埃を吸引する吸込具２と、一端が吸込具２に接続される延長管３と、一端が延長管３に接続され、他端が掃除機本体１に接続されるホース４から構成されている。掃除機本体１上部には、集塵装置６が着脱自在に装着されており、掃除機本体１の前方底面にはキャスター１３が配設されている。吸込具２は、被清掃面の塵埃を掻きあげる回転ブラシ（図示せず）と回転ブラシを回転駆動する電動機（図示せず）とを備えている。
【００１７】
図２及び図５に示すように、掃除機本体１は、掃除機本体１の下面を形成する下枠体３１と、掃除機本体１の上面を形成する上枠体３２ａと、上枠体３２ａをさらに覆うように構成された装飾体３２ｂと、掃除機本体１の後面を形成する後枠体４３とから構成されており、下枠体３１、上枠体３２ａ、装飾体３２ｂ及び後枠体４３は爪やネジ等によって結合されている。掃除機本体１の上部、すなわち、上枠体３２ａの上部には、掃除機本体１
を持ち運ぶ際に使用者が保持する本体ハンドル３３が取り付けられている。また、下枠体３１の下面の前方には、走行用のキャスター１３が回動自在に取り付けられている。
【００１８】
図３に示すように、掃除機本体１の図３中右側面には、蓄電池８を着脱自在に収納する蓄電池ケース１０が取り付けられている。図４に示すように、蓄電池ケース１０は、一端に開口部を有する円筒状の蓄電池ケース本体１７と、蓄電池ケース本体１７の開口部を開閉自在に閉塞する蓋体１９とを備えており、蓄電池ケース本体１７と蓋体１９とで囲まれる空間に蓄電池収納室を形成している。蓄電池ケース本体１７下部には、蓄電池８に電気的に接続する端子部３９が配設され、蓄電池ケース本体１７の外周には、車輪７ａが回転自在に支持されている。
【００１９】
掃除機本体１底面の蓄電池ケース１０下方位置には、後述する充電台２５の充電端子部４５に接続する本体端子部１２が配設されており、本体端子部１２は、掃除機本体１を側方から見て車輪７ａにて覆われる位置に配設されている。
【００２０】
図３に示すように、掃除機本体の図３中左側面には、コードリール９を収納するコードリールケース１１が取り付けられており、コードリールケース１１の外周には、車輪７ｂが回転自在に支持されている。
【００２１】
図６及び図７に充電台２５を示している。充電台２５は、充電基板（図示せず）等を収納する充電台本体２７と、充電台本体２７の一側面側に延設される載置部２８とを備え、充電台２５に商用電源を供給する電源コード２６が接続されている。載置部２８には、充電台本体２７から離間する位置に充電端子部４５が配設され、充電端子部４５と充電台本体２７との間には、貫通孔２９が形成され、掃除機本体１を載置部２８に載置した状態で、掃除機本体１の車輪７ａが貫通孔２９を介して充電台２５の設置面に接地するように構成されている。充電端子部４５は、一対の連結部３０により充電台本体２７に連結され、連結部３０の貫通孔２９側の側面には、車輪７ａに沿う円弧状のガイド部４７が形成されている。
【００２２】
以上のように構成された電気掃除機について、以下、図８〜図１１を加えて、その動作、作用を説明する。
【００２３】
使用者が電気掃除機１００を使用して掃除を開始すると、蓄電池８から電動送風機５に電源が供給され、電動送風機５の吸引力により、被清掃面上の塵埃等を吸込具２から延長管３及びホース４を介して掃除機本体１の内部へ吸引され、空気から分離された塵埃等が集塵装置６に貯留される。
【００２４】
また、使用者がコードリール９を商用電源に接続し、電気掃除機１００を使用して掃除を開始すると、商用電源から電動送風機５に電源が供給され、電動送風機５の吸引力により、被清掃面上の塵埃等を吸込具２から延長管３及びホース４を介して掃除機本体１の内部へ吸引され、空気から分離された塵埃等が集塵装置６に貯留される。
【００２５】
このように使用者は、掃除場所等に応じて蓄電池８と商用電源とを使い分けて掃除することができ、使用勝手を向上することができる。
【００２６】
図８及び図９に示すように、使用者が掃除を終了し、蓄電池８を充電する際には、使用者は、電源コード２６を商用電源に接続し、掃除機本体１を充電台２５に載置して、蓄電池８を充電する。
【００２７】
掃除機本体１を充電台２５に載置する際には、図１０に示すように、掃除機本体１を充
電台２５の載置部２８に向かって降下させるが、その際、掃除機本体１の蓋体１９が充電台本体２７の側面に摺接し、掃除機本体１を載置部２８に向けて案内する。
【００２８】
掃除機本体１が降下して載置部２８に近接すると、車輪７ａがガイド部４７に当接して、掃除機本体１の本体端子部１２と充電台２５の充電端子部４５とが接続するように案内する。
【００２９】
掃除機本体１を充電台２５に載置した状態では、車輪７ａは貫通孔２９を介して充電台２５の設置面に接地し、キャスター１３と車輪７ａ、７ｂが設置した状態となり、重心が高くなることがなく、安定した状態で充電を行うことができる。
【００３０】
また、図１１に示すように、蓄電池８を単体で充電する際には、使用者は、掃除機本体１から蓄電池８を取り出して充電台２５に載置し、蓄電池８を充電する。
【００３１】
蓄電池８を掃除機本体１から取り外して充電することができるので、掃除機本体１を持ち運んで充電する場合に比較して取り扱いを容易にすることができ、使用者の充電作業を容易にすることができる。
【００３２】
以上のように、本実施の形態では、掃除機本体１は、車輪７ａ、車輪７ｂ及びキャスター１３が接地した状態で、重心を高くすることなく、安定した姿勢で充電を行うことができるため、充電台２５の小型化を実現することができる。
【００３３】
充電台２５を小型化しても充電状態では、掃除機本体１の車輪７ａ、車輪７ｂ及びキャスター１３が接地しているため、掃除機本体１または充電台２５に外力が加わっても、安定して充電状態を維持することができる。
【００３４】
本体端子部１２と充電端子部４５は、接地した車輪７ａ、車輪７ｂ及びキャスター１３で囲まれる位置に位置しており、充電状態で掃除機本体１に外力が加わった際にも、掃除機本体１が移動し難く、本体端子部１２と充電端子部４５との接続部分への外力の影響を抑制して本体端子部１２及び充電端子部４５の破損を抑制することができる。
【００３５】
また、充電台２５の車輪７ａと接触する位置にガイド部４７を形成しているので、本体端子部１２と充電端子部４５とを確実に接続されるように案内することができる。車輪７ａの回転を利用することで摩擦抵抗が低くなり、誘導効果が高くなる。
【００３６】
さらに、充電台２５の充電台本体２７側面に掃除機本体１の側面を接触させて、掃除機本体１のガイドとすることができるので、車軸方向の位置決めと上方から見た際の回転方向の位置決めを容易に行える。
【００３７】
なお、充電台２５の載置部２８は、中央部分に貫通孔２９を形成し、充電端子部４５を一対の連結部３０により充電台本体２７に連結するよう構成したが、連結部３０を片方のみにして載置部２８の他方を開放した開口部を形成してもよい。
【００３８】
充電終了後、掃除機本体１または蓄電池８を上方へ引き上げるが、充電端子部４５と本体端子部１２の摩擦抵抗が大きい場合、充電端子部４５が上方へ引き上げられることで充電台２５に回転する力が発生し、転倒する虞がある。特に本実施の形態では、充電台２５の小型化を図っているので、充電台２５が転倒する虞が大きくなる。
【００３９】
本実施の形態では、図１２に示すごとく、充電台２５の載置部２８の相対向する側面の下部に、載置部２８の延設方向と対向する方向に支持部５１を延設している。支持部５１
を延設し、充電台２５の重心５２から支持部５１端部までの距離Ｌ１を長くすることにより、載置部２８の充電端子部４５側端部の浮き上がりを抑制し、充電台２５の転倒を防止することができる。充電台２５の重心５２から支持部５１側端部までの距離Ｌ１は、重心５２から載置部２８の充電端子部４５側端部までの距離Ｌ２や、本体端子部１２と充電端子部４５の各端子の接触圧により設定することができる。
（実施の形態２）
図１３は本発明の実施の形態２における充電台２５を示し、（ａ）は上面図、（ｂ）は側面図である。
【００４０】
実施の形態２の充電台２５は、実施の形態１において充電台２５から延設した支持部５１に替えて、充電台２５の載置部２８と対向する側面に支持板５５を回動自在に配設している。図１３（ａ）に示すように、支持板５５を充電台２５側面と直交する方向に回動させることにより、支持部５１と同様に掃除機本体１または蓄電池８を上方に引き上げる際の充電台２５の転倒を防止することができる。また、支持板５５は、不要な際には、充電台２５側面と平行になるように回動して収納状態にすることができ、支持板５５が邪魔になることがなく、充電台２５の設置面積を増加することもない。
（実施の形態３）
図１４は本発明の実施の形態３における充電台２５を示し、（ａ）は上面図、（ｂ）は側面図、（ｃ）は底面図である。
【００４１】
実施の形態３の充電台２５は、実施の形態１において充電台２５から延設した支持部５１に替えて、充電台２５に対して載置部２８の延設方向と対向する方向に突出可能なように支持体５７を充電台２５底面に回動自在に支持している。図１４（ａ）に示すように、支持体５７を載置部２８の延設方向と対向する方向に突出させることにより、支持部５１と同様に掃除機本体１または蓄電池８を充電台２５から取り外す際の充電台２５の転倒を防止することができる。また、支持体５７は、不要な際には、図１４（ｃ）に示すように、充電台２５底面側に回動して収納状態にすることができ、支持体５７が邪魔になることがなく、充電台２５の設置面積を増加することもない。
【００４２】
また、図１５に示すように、支持体５８を充電台２５底面からスライドして突出するように構成してもよい。
【産業上の利用可能性】
【００４３】
以上のように、本発明にかかる電気掃除機は、重心が低く安定した状態で充電を行うことができ、従来の充電台に比べ小型化することが可能となるため、家庭用電気掃除機及び産業用電気掃除機の分野・用途に適用することができる。
【符号の説明】
【００４４】
１    掃除機本体
７ａ  車輪
７ｂ  車輪
８    蓄電池
１２  本体端子部
２５  充電台
２７  充電台本体
２８  載置部
２９  貫通孔
３０  連結部
４５  充電端子部
４７  ガイド部
【図１】
2015016063.tif 000003
【図２】
2015016063.tif 000004
【図３】
2015016063.tif 000005
【図４】
2015016063.tif 000006
【図５】
2015016063.tif 000007
【図６】
2015016063.tif 000008
【図７】
2015016063.tif 000009
【図８】
2015016063.tif 000010
【図９】
2015016063.tif 000011
【図１０】
2015016063.tif 000012
【図１１】
2015016063.tif 000013
【図１２】
2015016063.tif 000014
【図１３】
2015016063.tif 000015
【図１４】
2015016063.tif 000016
【図１５】
2015016063.tif 000017